(57)【要約】【課題】中高音域において低音域と同等の音圧レベルが得られる動電型エキサイタを提供することである。【解決手段】  この動電型エキサイタは、筒状のフレーム１２と、磁気回路部２０と、ボイスコイル２８と、磁気回路部とボイスコイルをフレーム内で、それぞれ、軸線方向に振動可能に支持する第１及び第２サスペンション１４とを有し、筒状のフレーム１２の一端が振動板１６に固着された状態で、第２サスペンションと振動板との間に空気室３２が形成されるようにする。ボイスコイル２８の振動は、第２サスペンションからフレームを通して振動板に伝達されるほか、第２サスペンション１４から空気室３２を介して伝達される。空気室はエアスプリング若しくはエアダンパとして作用し、それにより、中高音域でのボイスコイルの振動をより効率良く振動板に伝え、中高音域での振動板の音圧レベルを増大する。【選択図】      図１
2008017461.tif 000002
【特許請求の範囲】
【請求項１】
筒状のフレームと、
該フレーム内に配置される磁気回路部と、
該磁気回路部を該フレームの軸線方向で振動可能に支持する第１サスペンションと、
該フレーム内に、該軸線方向で延びるように配置されて、該磁気回路部に作用的に連結されるボイスコイルと、
該フレーム内で該フレームの軸線方向を横断するように取り付けられた薄板状の第２サスペンションであって、該フレームの一端の開口に面する第１面と、該第１面と反対側で該磁気コイルに面する第２面とを有し、該第２面上に該ボイスコイルを支持し、該ボイスコイルが該フレームの軸線方向に軸線方向で振動可能とする第２サスペンションと、
を有し、
該ボイスコイルに電気信号を印加することにより該磁気回路部との磁気的相互作用により、該ボイスコイル及び該磁気回路部が該フレームの軸線方向で励振されるようにした動電型エキサイタ。
【請求項２】
筒状のフレームと、
該フレーム内に配置される磁気回路部と、
該磁気回路部を該フレームの軸線方向で振動可能に支持する第１サスペンションと、
該フレーム内に、該軸線方向で延びるように配置されて、該磁気回路部に作用的に連結されるボイスコイルと、
該フレームの一端の開口の周縁に沿って固着された周縁部を有し、該開口を閉じるように設定され、該フレームの外側に面する第１面と、該第１面の反対側で該フレームの内側に面する第２面とを有し、該第２面上に該ボイスコイルを支持し、該ボイスコイルが該フレームの軸線方向に軸線方向で振動可能とする薄板状の第２サスペンションと、
該フレームの該一端の開口より外側位置で、該フレームの軸線を横断する方向に延びる振動板固着面部を有し、該振動板固着面部が該第２サスペンションに面する内側面と該内側面の反対側の外側面とを有し、該内側面は第２サスペンションの第１面との間に空気室を形成し、該外側面は振動板に固着されるようになされた蓋状部材と、
を有し、
該ボイスコイルに電気信号を印加することにより該磁気回路部との磁気的相互作用により、該ボイスコイル及び該磁気回路が該フレームの軸線方向で励振されて、該空気室を含む振動伝達経路を介して該振動板を振動するようにした動電型エキサイタ。
【請求項３】
該フレームの一端の開口を閉じるように固着された振動板を備え、該振動板と該第２サスペンションとの間に空気室が形成されるようにした請求項１に記載の動電型エキサイタ。
【請求項４】
該空気室内部を外気に通気する通気開口を有し、第２サスペンションが振動する際に、該空気室内に過大な圧力が発生するのを防止するようにした請求項２又は３に記載の動電型エキサイタ。
【請求項５】
該通気開口が該第２サスペンションに形成されている請求項４に記載の動電方エキサイタ。
【請求項６】
該通気開口が該第２サスペンションの中央部分に形成されている請求項５に記載の動電型エキサイタ。
【請求項７】
該第２サスペンションは、該フレームの該一端の開口の周縁に固着された外周縁部を有しており、
該蓋状部材が、該第２サスペンションの該外周縁部上に固着された外周縁部を有する請求項２に記載の動電型エキサイタ。
【請求項８】
該蓋状部材が、薄板状の金属材料からなる請求項７に記載の動電型エキサイタ。
【請求項９】
該蓋状部材の該振動板固着部が、該第２サスペンションの該外周縁部の半径方向内側部分とほぼ同じ大きさである請求項８に記載の動電型エキサイタ。
【請求項１０】
振動板は、液晶表示パネルまたはエレクトロルミネセンス表示パネルの表示面を保護するための透明板である請求項２又は３に記載の動電型エキサイタ。
【発明の詳細な説明】
【技術分野】
【０００１】
本発明は動電型エキサイタに関し、特に、携帯電話機などにおける液晶表示パネルの表示面を保護するための透明板や筐体に取り付け、これらの透明板や筐体を振動させて音響出力を生じる動電型エキサイタに関する。
【背景技術】
【０００２】
携帯情報機器用の音響出力を行うための動電型エキサイタとしては、たとえば特開２００５−３５４２９７号公報に開示の動電型エキサイタがある。
【０００３】
この公報に記載された動電型エキサイタは、カップ状のヨークと、該ヨークの内部底面上に積層された磁石及びトッププレートとからなる磁気回路部と、該磁気回路部のヨーク内周面とトッププレートの間に形成された環状の磁気ギャップに同心状に挿入されたボイスコイルとを有する。磁気回路部及びボイスコイルは、上記ヨークとは逆向きにされたカップ状のフレーム内に該フレームと同心状にして配置され、磁気回路部はヨークの底面とフレームの開口縁との間に延びる環状の第１サスペンションによって、フレームに対して当該フレームの軸線方向で振動可能に支持され、ボイスコイルは、ボイスコイルとフレーム内面との間に延びる環状の第２サスペンションによって支持され、フレームに対して軸線方向で振動可能に支持される。
【０００４】
この動電型エキサイタは、振動板に対し、そのフレームの端部壁を該振動板に固着して設定される。
【０００５】
ボイスコイルに、音声帯域の周波数を有する電気信号が印加されると、該ボイスコイル及び磁気回路部は、相互に磁気的に作用してそれぞれ軸線方向で励振され、これにより振動板が振動されて音を発する。
【０００６】
低音域の振動は、主に、質量のある磁気回路部及び第１サスペンションからなる振動系を介して振動板に伝えられ、主に、中高音域の振動は軽量のボイスコイル及び第２サスペンションの振動系を介して振動板に伝えられる。
【特許文献１】特開２００５−３５４２９７号公報
【発明の開示】
【発明が解決しようとする課題】
【０００７】
しかしながら、上記の如き動電型エキサイタにおいては、中高音域側の振動は振動板に十分には伝えられず、その音域での音の発生は主に第２サスペンションにおいて行なわれていたが十分な音圧レベルが得られず、再生周波数における再生帯域が狭くなるという不都合があった。
【０００８】
本発明の目的は、このような不都合を解消して、再生周波数特性における中高音域での十分な音圧レベルが得られ、広い再生周波数帯域が得られるようにする動電型エキサイタを提供することである。
【課題を解決するための手段】
【０００９】
すなわち、本発明は、
筒状のフレーム（以下に述べる実施例においては参照番号１２で示す）と、
該フレーム内に配置される磁気回路部（２０）と、
該磁気回路部を該フレームの軸線方向で振動可能に支持する第１サスペンション（１８）と、
該フレーム内に、該軸線方向で延びるように配置されて、該磁気回路部（２０）に作用的に連結されるボイスコイル（２８）と、
該フレーム内で該フレームの軸線方向を横断するように取り付けられた薄板状の第２サスペンション（１４）であって、該フレームの一端の開口に面する第１面と、該第１面と反対側で該磁気コイルに面する第２面とを有し、該第２面上に該ボイスコイル（２８）を支持し、該ボイスコイルが該フレームの軸線方向に軸線方向で振動可能とする第２サスペンション（１４）と、
を有し、
該ボイスコイル（２８）に電気信号を印加することにより該磁気回路部（２０）との磁気的相互作用により、該ボイスコイル（２８）及び該磁気回路部（２０）が該フレームの軸線方向で励振されるようにした動電型エキサイタを提供する。
【００１０】
この動電型エキサイタ（１０）は、該フレーム（１２）の開口を閉じるように振動板（１６）に固着して、該振動板（１６）と該第２サスペンション（１４）との間に空気室（３２）が形成されるように取り付けられる。このようにすることにより、磁気回路部（２０）の振動は、第１サスペンション（１８）及びフレーム（１２）を介して振動板（１６）に伝達される。また、  ボイスコイル（２８）の振動は、第２サスペンション（１４）及びフレーム（１２）を介して振動板（１６）に伝達されるとともに、第２サスペンション（１４）及び空気室（３２）を介して振動板（１６）に伝達される。前述した従来の動電型エキサイタにおいては、第２サスペンション（１４）と振動板（１６）との間に形成される空気室（３２）がなかったため、上記した空気室３２を介しての振動伝達系はなく、この点で、動電型エキサイタ（１０）は特徴を有する。磁気回路部（２０）は、ボイスコイル（２８）に比べて質量が大きいために、磁気回路部（２０）から振動板（１６）への振動系の固有振動数は、ボイスコイル（２８）から振動板（１６）への振動系よりも低い。このため、ボイスコイルに低音域の周波数をもつ電気信号が印加されるときは、振動板（１６）は、主に、磁気回路部（２０）からの振動によって加振される。これに対して、ボイスコイルに中高音の周波数をもつ電気信号が印加されるときには、振動板（１６）は、主に、ボイスコイル（２８）からの振動によって加振される。この場合、第２サスペンション（１４）及びフレーム（１２）を含む第１の振動伝達系と、第２サスペンション（１４）及び空気室（３２）を含む第２の振動伝達系は、振動板（１６）に対して並列の関係にある。第２振動伝達系の空気室（３２）はエアダンパ又はエアスプリングとして作用する。このため、このような要素がない前述の従来の動電型エキサイタに比べて、ボイスコイル（２８）の振動周波数が高くなるほど、振動伝達率が高くなり、より大きい振幅で振動板（１６）を加振することになる。これにより、従来の動電型エキサイタの周波数特性曲線（４４）に比べて、動電型エキサイタ（１０）の周波数特性曲線（４６）が、１０００ヘルツ以上の周波数帯域で、高い音圧レベルとなり、これにより上述した従来の動電型エキサイタの問題を解消することができる。また、空気室があるために、第２サスペンションが振動するときに、該第２サスペンションに該空気室内の空気圧がかかり、その振幅を抑制する作用が働く。これはボイスコイルへ印加される電気信号が大きい場合に、該ボイスコイル及び第２サスペンションが過大な振幅で振動するのを防止し、該ボイスコイルに損傷が生じたり、振動に歪が生じたりするのを防止することが可能となる。
【００１１】
本発明はまた、
筒状のフレーム（１２）と、
該フレーム（１２）内に配置され、磁界を発生する磁気回路部（２０）と、
該磁気回路部（２０）を該フレーム（１２）の軸線方向で振動可能に支持する第１サスペンション（１４）と、
該フレーム（１２）内に、該軸線方向で延びるように配置されて、該磁気回路部（２０）に作用的に連結されるボイスコイル（２８）と、
該フレーム（１２）の一端の開口の周縁に沿って固着された周縁部を有し、該開口を閉じるように設定され、該フレームの外側に面する第１面と、該第１面の反対側で該フレームの内側に面する第２面とを有し、該第２面上に該ボイスコイル（２８）を支持し、該ボイスコイルが該フレームの軸線方向に軸線方向で振動可能とする薄板状の第２サスペンション（１４）と、
該フレームの該一端の開口より外側位置で、該フレームの軸線を横断する方向に延びる振動板固着面部（３５ｂ）を有し、該振動板固着面部が該第２サスペンションに面する内側面と該内側面の反対側の外側面とを有し、該内側面は第２サスペンションの第１面との間に空気室（３２）を形成し、該外側面は振動板に固着されるようになされた蓋状部材（３５）と、
を有し、
該ボイスコイル（２８）に電気信号を印加することにより該磁気回路部（２０）との磁気的相互作用により、該ボイスコイル（２８）及び該磁気回路（２０）が該フレーム（１２）の軸線方向で励振されて、該空気室（３２）を含む振動伝達経路を介して該振動板（１６）を振動するようにした動電型エキサイタ（１００）を提供する。
【００１２】
この電動型エキサイタ（１００）における蓋状部材（３５）は、当該動電型エキサイタの組立工程などにおいて、第２サスペンションが破損されるのを防止するものである。この蓋状部材を取り付けたという点を除けば、上述の動電型エキサイタ（１０）と動作、機能、特性等において実質的に同じである。
【００１３】
好ましくは、該空気室内部を外気に通気する通気開口を設け、第２サスペンション（１４）が振動する際に、該空気室内に過大な圧力が発生するのを防止するようにする。
【００１４】
具体的には、該通気開口は該第２サスペンションに形成することができる。
【００１５】
好ましくは、該通気開口は第２サスペンションの中央部分に形成される。
【００１６】
該第２サスペンションは、具体的には、フレームの上記一端の開口の周縁に固着された外周縁部を有し、蓋状部材の周縁部が、第２サスペンションの外周縁部上に固着された外周縁部を有するようにする。
【００１７】
上記蓋状部材は、薄板状の金属材料から形成することができる。
【００１８】
また、上記蓋状部材の該振動板固着部は、第２サスペンションの外周縁部より半径方向内側の部分とほぼ同じ大きさとされる。
【００１９】
振動板は、液晶表示パネルまたはエレクトロルミネセンス表示パネルの表示面を保護するための透明板とすることができる。
【発明を実施するための最良の形態】
【００２０】
以下、添付図面を用いて本発明に係る動電型エキサイタの実施形態を詳細に説明する。
【００２１】
図１〜図５には、本発明の第１の実施形態に係る動電型エキサイタ１０が示されている。
【００２２】
この動電型エキサイタ１０は、筒状のフレーム１２と、磁気回路部２０と、該磁気回路部２０を該フレーム１２の軸線方向で振動可能に支持する第１サスペンション１８と、  該磁気回路２０に作用的に連結されるボイスコイル２８と、該ボイスコイル２８を支持し、該ボイスコイルが該フレームの軸線方向に軸線方向で振動可能に支持する第２サスペンション１４とを有し、フレーム１２の一端の開口を閉じるようにして振動板１６に取り付けられるようになっている。
【００２３】
磁気回路部２０は、環状の磁石２４と、該磁石２４を支持するヨーク部材２２と、磁石２４上に固着された環状のトッププレート２６とを有する。
【００２４】
ヨーク部材２２は、図１及び図４に示すように、円盤状部２２ｄと、該円盤状部２２ｄの上面中央に設けられた円柱状部２２ｂと、円盤状部２２ｄの直径方向で相互に対向する側から半径方向外側に延びる一対の突出部２２ａとを有している。突出部２２ａは、円盤状部２２ｄよりも薄く、該突出部２２ａの下面と円盤状部２２ｄの下面との間には、段部２２ｃが形成されており、第１サスペンション１８の内周縁部が該突出部２２ａの下面に固着されて、その内周面１８ｂが該段部２２ｃに溶接等により固着されるようになっている。
【００２５】
ヨーク部材２２及びトッププレート２６は、ともに透磁率の高い金属材料である、たとえば純鉄から構成することが好ましく、ヨーク部材上に積層されて相互に固着されている。
【００２６】
第１サスペンション１８は、弾性を有する薄板状の金属材料、たとえばステンレス鋼（ＳＵＳ３０４）から形成される。図３に示すように、第サスペンション１８は、全体として環状に形成され、内周面１８ｂから半径方向外側位置に、一対の第１円弧状スリット１８ａと一対の第２円弧状スリット１８ａ´とが相互に半径方向で間隔をあけて設けられている。第１サスペンション１８の外周縁部は、樹脂等により成形されるフレーム１２の壁面に埋設され、当該第１サスペンション１８が全体としてフレーム内部を横断する方向に延びるように設定され、周方向で第１円弧状スリット１８ａ間にある部分１８ｄがヨーク部材２２の突出部２２ａの下面に固着され、該ヨーク部材２２をフレーム１２の軸線方向で振動可能に支持している。図示の例では、段部２２ｃの高さは、サスペンション１８の厚さとほぼ同じにされている。尚、第１サスペンション１８は、金属材料だけでなく、樹脂材料で形成することができる。
【００２７】
第２サスペンション１４は、紙や樹脂や金属の薄板状部材から形成される。図１及び図２に示すように、該第２サスペンション１４は、全体として円形とされ、その外周縁部がフレーム１２の（図１で見て）上端内周に形成された段部１２ａに固着され、更に、樹脂材料または金属材料からなる環状の固定部材３４によって、該フレームに固定されている。該第２サスペンション１４は、ボイスコイル２８を、円柱状部２２ｂに対して同心状になるように支持し、磁気回路部２０の円柱状部２２ｂの外周面とトッププレート２６の内周面との間に環状の磁気ギャップ３０が形成されるようにしている。該第２サスペンション１４のボイスコイル２８よりも半径方向内側部分は（図１で見て）下方に湾曲しており、半径方向外側部分は、上方に湾曲しており、中央部分には、１対の矩形状の微小な開口が１４ａが貫通して形成されている。
【００２８】
本実施例に係る動電型エキサイタは、以上のように構成されるものであり、振動板１６に対し、フレーム１２の（図１で見て）上端縁を振動板１６に固着するようにして設定し、該振動板１６と第２サスペンション１８との間に空気室３２が形成されるようにする。
【００２９】
振動板１６は、例えば、携帯電話機やパーソナルコンピュータや電子辞書などの情報を表示する液晶表示パネルを保護するために液晶表示パネルの表示面に設けられる透明板とされ、図５は、そのような透明板に動電型エキサイタ１０を取り付けた状態を示している。
【００３０】
図６は、本発明に係る動電型エキサイタの第２の実施形態を示す。
【００３１】
この動電型エキサイタ１００は、上述の第１の実施形態に係る動電型エキサイタ１０と基本的には同じ構造とされており、動電型エキサイタ１０と同じ構成要素は、同じ参照番号を付して示し、その詳細は省略する。
【００３２】
この動電型エキサイタ１００は、第２サスペンション１４を保護するための、薄板の金属材料、たとえばステンレス鋼（ＳＵＳ３０４）により形成した蓋状部材３５を設けた点で、動電型エキサイタ１０と相違している。
【００３３】
すなわち、この動電型エキサイタ１００においては、第２サスペンション１４の外周縁部がフレーム１２の上端面に固着されており、蓋状部材３５は、第２サスペンション１４の外周縁部上に固着された周縁部３５ａと、フレーム１２の上端面より上方位置で、該フレームの軸線を横断する方向に延び、振動板１６に固着される振動板固着面部３５ｂとを有する、全体として浅い鍋状に形成されている。該蓋状部材は、第２サスペンションとの間に空気室３２を形成している。
【００３４】
この動電型エキサイタ１００においては、蓋状部材３５を設けることにより、動電型エキサイタ１００の組立工程等での第２サスペンション１４の破損を防止することができる。
【００３５】
次に、上述した動電型エキサイタの動作につき説明する。
【００３６】
動電型エキサイタ１０と、動電型エキサイタ１００との動作は、基本的に同じであり、以下においては、動電型エキサイタ１０の動作を中心に説明する。
【００３７】
本発明の動電型エキサイタ１０において、ボイスコイル２８に例えば音声帯域の周波数を有する電気信号が印加されると、該ボイスコイル２８と磁気回路部２０とは、磁気的相互作用により、それぞれ、フレーム１２の軸線方向で励振される。
【００３８】
磁気回路部２０の振動は、第１サスペンション１８及びフレーム１２を介して振動板１６に伝達される。
【００３９】
ボイスコイル２８の振動は、第２サスペンション１４及びフレーム１２を介して振動板１６に伝達されるとともに、第２サスペンション１４及び空気室３２を介して振動板１６に伝達される。前述した従来の動電型エキサイタにおいては、第２サスペンションと振動板との間に形成される空気室がなかったため、上記した空気室３２を介しての振動伝達系はなく、この点で、動電型エキサイタ１０は特徴を有する。  磁気回路部２０は、ボイスコイル２８に比べて質量が大きいために、磁気回路部２０から振動板１６への振動系の固有振動数は、ボイスコイル２８から振動板１６への振動系よりも固有振動数が低い。
【００４０】
このため、ボイスコイルに低音域の周波数をもつ電気信号が印加されるときは、振動板１６は、主に、磁気回路部２０からの振動によって加振される。
【００４１】
これに対して、ボイスコイルに中高音の周波数をもつ電気信号が印加されるときには、振動板１６は、主に、ボイスコイルからの振動によって加振される。この場合、第２サスペンション１４及びフレーム１２を含む第１の振動伝達系と、第２サスペンション１４及び空気室３２を含む第２の振動伝達系は、振動板１６に対して並列の関係にある。第２振動伝達系の空気室３２は（第２サスペンション１４の中央に開口１４ａが設けられているので）エアダンパとして作用する。このため、このような要素がない前述の従来の動電型エキサイタに比べて、ボイスコイルの振動周波数が高くなるほど、振動伝達率が高くなり、より大きい振幅で振動板１６を加振することになる。図７は、そのような周波数特性を示すものであり、従来の動電型エキサイタの周波数特性曲線４４に比べて、動電型エキサイタ１０の周波数特性曲線４６が、１０００ヘルツ以上の周波数帯域で、高い音圧レベルとなることが分かる。
【００４２】
図５に示す例では、動電型エキサイタは、液晶表示パネル３８の保護用透明板１６の一部に取り付けられているが、該動電型エキサイタは、液晶パネル３６の保護用透明板１６全体を振動させることになる。
【００４３】
図示の動電型エキサイタ１０では、ボイスコイルが過大な振幅で振動して、空気室内に高い圧力が生じ、第２サスペンションや振動板が破損することがないように、第２サスペンションに通気のための開口１４ａを設けており、従って、上述の第２の振動系において、空気室はエアダンパとして機能する。この開口１４ａを設けずに、空気室を完全に密封されたものとした場合には、該空気室はエアスプリングとして機能することになるが、この場合も、前述の従来の動電型エキサイタのように、空気室がないものに比べて、ボイスコイルから振動板への振動伝達効率は上がり、その場合には、中高音領域だけではなく、低音域でも振幅（音圧）の増大が生じるものと考えられる。
【００４４】
空気室３２は、上記のような機能を奏するほかに、ボイスコイル及び第２サスペンションの過大な振幅の振動を抑える作用をも奏する。このため、歪みの発生を抑えた高品位の再生音を得ることができる。また大きな音量の出力時に、ボイスコイルが磁気ギャップ３０の適正範囲から逸脱することによって生じる雑音の発生、および磁気回路部２０に接触することによって生じるボイスコイルの損傷の発生等を防止することができる。
【００４５】
第１実施形態に係る動電型エキサイタ１０の動作、機能、特性は概ね以上の通りである。第２実施形態に係る動電型エキサイタ１００においては、フレーム１２と振動板１６との間に蓋状部材３５が介在しているが、動作、機能、特性は動電型エキサイタ１０と同様になることは、詳述するまでもなく明らかであろう。
【００４６】
以上、本発明に係る実施形態につき説明したが、本発明はこれらに限定されるものではない。例えば、第２サスペンション１４に形成した開口１４ａは、空気室内に過大な圧力が生じるのを防止するためのものであり、その形状や数は任意に決めることができる。ただし、その開口面積は、空気室３２が上述したエアダンパやエアスプリングとして機能する範囲のものとされる。また、開口１４ａは上記機能のためであり、必ずしも第２サスペンションに設ける必要はない。例えば、振動板１６や蓋状部材３５に設けたり、第１の実施形態においては第２サスペンション１４と振動板１６とのあいだのフレーム１２や固定部材３４に設けても良い。さらに、例えば発泡性の樹脂などの部材を第１の振動板１４に貼り付けても、高音域側での振幅レベルを増大すること可能である。また以上の説明では、振動板１６として、液晶表示パネルの表示面の保護用透明板を適用する実施形態で説明したが、エレクトロルミネセンス表示パネルの表示面の保護用透明板を第２の振動板１６として適用しても良い。エレクトロルミネセンス表示パネルは、ガラスや樹脂などからなる透明絶縁性基板のおもて面側に、酸化インジウムスズ（ＩＴＯ）からなる透明電極と、トリフェニルジアミン誘導体からなるホール輸送層と、アルミキノリノール錯体からなる発光層と、アルミニウムからなる金属電極を順次形成し、これらの透明電極とホール輸送層と発光層と金属電極を被覆するように電気絶縁性高分子化合物からなる保護層を形成して構成している。そして、透明絶縁性基板のうら面側から発光し、エレクトロルミネセンス表示パネルとする。動電型エキサイタは表示パネルの表示面を保護する透明板の裏面側に取り付ける。さらに本発明の動電型エキサイタは、携帯電話機以外にもＰＤＡ（Ｐｅｒｓｏｎａｌ  Ｄｉｇｉｔａｌ  Ａｓｓｉｓｔａｎｔｓ）やパーソナルコンピュータや電子辞書などの携帯情報機器に適用することができる。そしてこれらの携帯情報機器の表示パネルや筐体を振動板１６として適用することもできる。
【図面の簡単な説明】
【００４７】
【図１】本発明の第１の実施形態に係る動電型エキサイタの断面図である。
【図２】同動電型エキサイタの振動板の平面図である。
【図３】同動電型エキサイタのサスペンションの平面図である。
【図４】同動電型エキサイタのヨークを示す平面図である。
【図５】同動電型エキサイタを取り付ける液晶表示パネルの保護用透明板を示す平面図である。
【図６】本発明の第２の実施形態に係る動電型エキサイタイの断面図である。
【図７】第１の実施形態に係る動電型エキサイタと従来の動電型エキサイタとの周波数と音圧との関係を示すグラフである。
【符号の説明】
【００４８】
１０  動電型エキサイタ
１２  フレーム
１４  第２サスペンション
１６  振動板
１８  第１サスペンション
２０  磁気回路部
２８  ボイスコイル
３０  磁気ギャップ
３２  空気室
３５  蓋状部材
３８  液晶表示パネル
【図１】
2008017461.tif 000003
【図２】
2008017461.tif 000004
【図３】
2008017461.tif 000005
【図４】
2008017461.tif 000006
【図５】
2008017461.tif 000007
【図６】
2008017461.tif 000008
【図７】
2008017461.tif 000009